(57)【要約】 【課題】処置に使用した医療材料を処置単位に管理することを支援することができる医療機関物流システムを提供する。【解決手段】処置の名称、医療材料を含む物品の名称、およびその処置に使用する物品の員数を含む情報を予めデータベースに登録する。実施した処置を入力するときは、入力用端末計算機２０は、データベースに登録された情報を表示装置に表示する。看護師等の職員は、実施した処置の名称、実施した処置に使用した物品の名称、およびその物品の員数を含む情報を、患者毎にかつ処置毎に、表示装置に表示された情報の中から選択または表示された情報を修正して入力する。物品の追加には、バーコードリーダ等を使用することも可能である。物品管理計算機１０は、入力された情報を入力用端末計算機２０から受取り、実施した処置に関する情報を管理する実績管理テーブルに記憶し、実績管理テーブルに記憶した情報を表示装置に表示する。【選択図】      図１
2006048301.tif 000002
【特許請求の範囲】
【請求項１】
少なくとも医療上の処置の種類を示す処置識別情報、医療材料を含む物品の種類を示す物品識別情報、および前記処置に使用する前記物品の数を示す物品数情報がデータベース化して記憶される登録データ記憶手段と、
少なくとも行なわれた処置の処置識別情報、前記行なわれた処置に使用された物品の物品識別情報、および前記使用された物品の物品数情報が記憶される実績データ記憶手段と、
情報を出力する出力手段と、
情報を入力する入力手段と、
前記登録データ記憶手段に記憶された情報のうちで、前記入力手段で入力された抽出情報によって抽出された情報を前記出力手段に出力し、
前記出力手段に出力された情報を、前記入力手段で入力された選択情報または変更情報に基づいて選択しまたは変更して前記実績データ記憶手段に記憶し、
前記実績データ記憶手段に記憶された情報を、患者別および／または処置別に前記出力手段に出力する制御手段とを含むことを特徴とする医療機関物流システム。
【請求項２】
少なくとも行なわれる予定の処置の処置識別情報、前記行なわれる予定の処置に使用される物品の物品識別情報、および前記使用される物品の物品数情報が記憶される予定処置データ記憶手段を含み、
前記制御手段は、
前記登録データ記憶手段に記憶された情報のうちで、前記入力手段で入力された抽出情報によって抽出された情報を前記出力手段に出力し、
前記出力手段に出力された情報から、前記入力手段で入力された選択情報に基づいて選択した情報を前記予定処置データ記憶手段に記憶し、
前記予定処置データ記憶手段に記憶された情報を前記出力手段に出力したときに、前記入力手段から修正情報が入力された場合は、前記予定処置データ記憶手段に記憶された情報を前記修正情報に基づいて修正した情報を、前記実績データ記憶手段に記憶し、前記入力手段から修正情報が入力されなかった場合は、前記予定処置データ記憶手段に記憶された情報を前記実績データ記憶手段に記憶することを特徴とする請求項１に記載の医療機関物流システム。
【請求項３】
前記制御手段は、前記実績データ記憶手段で記憶された情報に基づいて、所定の期間に行われた処置を患者別および／または処置別の処置実績として集計し、集計された患者別および／または処置別の処置実績を前記出力手段に出力することを特徴とする請求項１または２に記載の医療機関物流システム。
【請求項４】
前記医療材料を含む物品の在庫の量を示す在庫量情報が記憶される在庫量データ記憶手段を含み、
前記制御手段は、前記実績データ記憶手段に記憶された情報に基づいて前記在庫量データ記憶手段に記憶された情報を更新することを特徴とする請求項１〜３のいずれか１つに記載の医療機関物流システム。
【請求項５】
少なくとも医療上の処置の種類を示す処置識別情報、医療材料を含む物品の種類を示す物品識別情報、および前記処置に使用する前記物品の数を示す物品数情報をデータベース化して記憶する登録データ記憶工程と、
前記登録データ記憶工程で記憶された情報のうちで、入力された抽出情報によって抽出された情報を出力する登録データ出力工程と、
少なくとも行なわれた処置の処置識別情報、前記行なわれた処置に使用された物品の物品識別情報、および前記使用された物品の物品数情報を、前記登録データ出力工程で出力された情報の中から、入力された選択情報または変更情報に基づいて選択しまたは変更して記憶する実績データ記憶工程と、
前記実績データ記憶工程で記憶された情報を、患者別および／または処置別に出力する実績データ出力工程とを含むことを特徴とする医療機関物流管理方法。
【請求項６】
前記登録データ出力工程で、前記登録データ記憶工程で記憶された情報が出力されたときに、少なくとも行なわれる予定の処置の処置識別情報、前記行なわれる予定の処置に使用される物品の物品識別情報、および前記使用される物品の物品数情報を、前記登録データ記憶工程で記憶された情報の中から、入力された選択情報によって選択して記憶することができる予定処置データ記憶工程を含み、
修正情報が入力された場合は、前記予定処置データ記憶工程で記憶された情報を前記修正情報に基づいて修正した情報を、前記実績データ記憶工程で記憶し、修正情報が入力されなかった場合は、前記予定処置データ記憶工程で記憶された情報を前記実績データ記憶工程で記憶することを特徴とする請求項５に記載の医療機関物流管理方法。  
【請求項７】
前記実績データ記憶工程で記憶された情報に基づいて、所定の期間に行われた処置を患者別および／または処置別の処置実績として集計し、集計された患者別および／または処置別の処置実績を出力する処置実績出力工程を含むことを特徴とする請求項５または６に記載の医療機関物流管理方法。
【請求項８】
前記実績データ記憶工程で記憶された情報に基づいて、前記医療材料を含む物品の在庫の量を示す在庫量情報を更新する在庫量データ更新工程を含むことを特徴とする請求項５〜７のいずれか１つに記載の医療機関物流管理方法。
【請求項９】
コンピュータに請求項５〜８のいずれかに記載の医療機関物流管理方法を実行させるためのプログラム。
【請求項１０】
請求項９に記載のプログラムを記録したコンピュータ読取り可能な記録媒体。
【発明の詳細な説明】
【技術分野】
【０００１】
本発明は、医療機関などで行われる処置に使用した医療材料等の物品を管理することができる医療機関物流システムに関する。
【背景技術】
【０００２】
病院などの医療機関が行う保険請求は、患者に対して実施した処置および処置に使用した特定医療材料に基づいて患者毎に請求される。したがって、医療機関は、実施した処置とその処置に使用した特定医療材料とを患者毎に記録しておく必要がある。実施した処置とその処置に使用した特定医療材料とを記録する業務は、患者に対して処置を実施する看護師等によって行われるが、看護師等は、患者への処置等の業務を行うこと自体で多忙であるために、記録漏れあるいは記録ミスなどが発生している。
【０００３】
保険請求は、処置毎および特定医療材料毎に定められた保険点数に基づいて行われる。処置と使用した特定医療材料について記録漏れあるいは記録ミスがあると、保険請求を正しく行えず、医療機関の損失になることがある。
【０００４】
処置に使用した医療材料等の記録漏れと誤記を防止するための第１の従来技術として、医事記録に必要な事項が記録された記載部と医薬用物品への取付け部とからなり、その記載部は、取付け部から切離し可能であり、かつその裏面は保護材の剥離によって接着可能となる医薬用物品ラベルがある。この医薬用物品ラベルは、記載部を取付け部から切離し、カルテなどの医事記録に貼り付けることによって、正確な記録を可能とするものである（たとえば、特許文献１参照）。
【０００５】
処置に使用した医療材料等の記録漏れと誤記を防止するための第２の従来技術として、医療用品等のパッケージに貼り付ける用紙に、医療用品の処置を指示する処置指示シールと、看護婦が患者に行う処置およびその処置の記録を指示する看護記録指示シールとが取外し可能に貼り付けられた医療用記録シール紙がある。処置後、処置指示シールと看護記録指示シールとを用紙から取外して、看護台帳に貼り付けることによって、実施した処置と処置に使用した医療材料を、正確に看護記録に残すことができる（たとえば、特許文献２参照）。
【０００６】
第１および第２の従来技術は、医療材料のうちの特定保険医療材料を使用している処置行為についてのみ管理が可能であり、特定保険医療材料を使用しない処置行為等については、支援できない。さらに、すべての医療・衛生材料にラベルなどを貼り付ける作業工数を考えると現実的ではない。
【０００７】
処置に使用した医療材料等の記録漏れと誤記を防止するための第３の従来技術として、作業予定の医療行為のリストを表示し、さらに実施した医療行為を入力することができるＰＤＡ（Personal Digital Assistance）を看護婦に携帯させ、ＰＤＡから入力された情報を病院内の情報を集中管理するシステムに提供する病院情報システムがある。このＰＤＡを用いることによって、医療行為を実施した場所でリアルタイムに、実施した医療行為を入力することができるので、正確な記録を残すことができる（たとえば、特許文献３参照）。
【０００８】
第３の従来技術は、ＰＤＡを用いることによって、カルテを電子的に管理して処置の指示を行なう電子カルテ／オーダリングシステムなどの病院情報システムと連携して、処置行為をリアルタイムで記録することができるようにしたものであるが、連携を行うためのシステムの改造、たとえば病院情報システム側にＰＤＡへの処置指示機能を追加するためのプログラムの改造とハードウエアの追加に伴う改造とが必要になり、システム構築に多額の費用が必要になる。
【０００９】
【特許文献１】特開２０００−１３２１０４号公報
【特許文献２】特開平６−１３９２５９号公報
【特許文献３】特開２００４−１１０８２０号公報
【発明の開示】
【発明が解決しようとする課題】
【００１０】
しかしながら、第１の従来技術は、記録をカルテなどの医事記録に残すもの、第２の従来技術は、記録を看護台帳に残すもの、そして第３の従来技術は、記録を病院情報システムのデータベースに残すものであるが、いずれの従来技術も、使用した医療材料を処置単位で記録するものではないので、使用した医療材料を処置単位に管理することが困難であるという課題がある。
【００１１】
本発明の目的は、処置に使用した医療材料を処置単位に管理することを支援することができる医療機関物流システム、医療機関物流管理方法、プログラムおよび記録媒体を提供することである。
【課題を解決するための手段】
【００１２】
本発明は、少なくとも医療上の処置の種類を示す処置識別情報、医療材料を含む物品の種類を示す物品識別情報、および前記処置に使用する前記物品の数を示す物品数情報がデータベース化して記憶される登録データ記憶手段と、
少なくとも行なわれた処置の処置識別情報、前記行なわれた処置に使用された物品の物品識別情報、および前記使用された物品の物品数情報が記憶される実績データ記憶手段と、
情報を出力する出力手段と、
情報を入力する入力手段と、
前記登録データ記憶手段に記憶された情報のうちで、前記入力手段で入力された抽出情報によって抽出された情報を前記出力手段に出力し、
前記出力手段に出力された情報を、前記入力手段で入力された選択情報または変更情報に基づいて選択しまたは変更して前記実績データ記憶手段に記憶し、
前記実績データ記憶手段に記憶された情報を、患者別および／または処置別に前記出力手段に出力する制御手段とを含むことを特徴とする医療機関物流システムである。
【００１３】
本発明に従えば、処置および医療材料に関する情報をテーブルに登録しておいて、登録された情報の中から選択することによって、処置および医療材料に関する情報を患者毎および処置毎に入力することができるので、記録業務の負荷を軽減でき、処置に使用した医療材料を処置単位に管理することを支援することができる。
【００１４】
また本発明は、少なくとも行なわれる予定の処置の処置識別情報、前記行なわれる予定の処置に使用される物品の物品識別情報、および前記使用される物品の物品数情報が記憶される予定処置データ記憶手段を含み、
前記制御手段は、
前記登録データ記憶手段に記憶された情報のうちで、前記入力手段で入力された抽出情報によって抽出された情報を前記出力手段に出力し、
前記出力手段に出力された情報から、前記入力手段で入力された選択情報に基づいて選択した情報を前記予定処置データ記憶手段に記憶し、
前記予定処置データ記憶手段に記憶された情報を前記出力手段に出力したときに、前記入力手段から修正情報が入力された場合は、前記予定処置データ記憶手段に記憶された情報を前記修正情報に基づいて修正した情報を、前記実績データ記憶手段に記憶し、前記入力手段から修正情報が入力されなかった場合は、前記予定処置データ記憶手段に記憶された情報を前記実績データ記憶手段に記憶することを特徴とする。
【００１５】
本発明に従えば、医療材料を保管場所から取り出されたときに、取り出された医療材料とその員数、およびその医療材料が使用される処置を設定することができるので、処置実施後に、取り出したときに設定された情報と比較することによって記載漏れを防止でき、さらに処置に使用した医療材料を処置単位に管理することを支援することができる。
【００１６】
また本発明は、前記制御手段は、前記実績データ記憶手段で記憶された情報に基づいて、所定の期間に行われた処置を患者別および／または処置別の処置実績として集計し、集計された患者別および／または処置別の処置実績を前記出力手段に出力することを特徴とする。
【００１７】
本発明に従えば、処置に使用した医療材料を所定の期間について患者毎および／または処置毎に集計して表示または出力することができるので、処置毎のコスト管理が可能になり、さらに処置に使用した医療材料を処置単位に管理することを支援することができる。
【００１８】
また本発明は、前記医療材料を含む物品の在庫の量を示す在庫量情報が記憶される在庫量データ記憶手段を含み、
前記制御手段は、前記実績データ記憶手段に記憶された情報に基づいて前記在庫量データ記憶手段に記憶された情報を更新することを特徴とする。
【００１９】
本発明に従えば、処置とその処置に使用する物品の数量を予め関連付けているので、実施した処置を入力すれば、処置で使用することが予め関連付けられている物品については、その物品の使用量が在庫量に反映され、物品の使用量を入力しなくても在庫量の管理が可能となる。
【００２０】
また本発明は、少なくとも医療上の処置の種類を示す処置識別情報、医療材料を含む物品の種類を示す物品識別情報、および前記処置に使用する前記物品の数を示す物品数情報をデータベース化して記憶する登録データ記憶工程と、
前記登録データ記憶工程で記憶された情報のうちで、入力された抽出情報によって抽出された情報を出力する登録データ出力工程と、
少なくとも行なわれた処置の処置識別情報、前記行なわれた処置に使用された物品の物品識別情報、および前記使用された物品の物品数情報を、前記登録データ出力工程で出力された情報の中から、入力された選択情報または変更情報に基づいて選択しまたは変更して記憶する実績データ記憶工程と、
前記実績データ記憶工程で記憶された情報を、患者別および／または処置別に出力する実績データ出力工程とを含むことを特徴とする医療機関物流管理方法である。
【００２１】
本発明に従えば、処置および医療材料に関する情報をテーブルに登録しておいて、登録された情報の中から選択することによって、処置および医療材料に関する情報を患者毎および処置毎に入力することができるので、記録業務の負荷を軽減でき、処置に使用した医療材料を処置単位に管理することを支援することができる。
【００２２】
また本発明は、前記登録データ出力工程で、前記登録データ記憶工程で記憶された情報が出力されたときに、少なくとも行なわれる予定の処置の処置識別情報、前記行なわれる予定の処置に使用される物品の物品識別情報、および前記使用される物品の物品数情報を、前記登録データ記憶工程で記憶された情報の中から、入力された選択情報によって選択して記憶することができる予定処置データ記憶工程を含み、
修正情報が入力された場合は、前記予定処置データ記憶工程で記憶された情報を前記修正情報に基づいて修正した情報を、前記実績データ記憶工程で記憶し、修正情報が入力されなかった場合は、前記予定処置データ記憶工程で記憶された情報を前記実績データ記憶工程で記憶することを特徴とする。
【００２３】
本発明に従えば、医療材料を保管場所から取り出されたときに、取り出された医療材料とその員数、およびその医療材料が使用される処置を設定することができるので、処置実施後に、取り出したときに設定された情報と比較することによって記載漏れを防止でき、さらに処置に使用した医療材料を処置単位に管理することを支援することができる。
【００２４】
また本発明は、前記実績データ記憶工程で記憶された情報に基づいて、所定の期間に行われた処置を患者別および／または処置別の処置実績として集計し、集計された患者別および／または処置別の処置実績を出力する処置実績出力工程を含むことを特徴とする。
【００２５】
本発明に従えば、処置に使用した医療材料を所定の期間について患者毎および／または処置毎に集計して表示または出力することができるので、処置毎のコスト管理が可能になり、さらに処置に使用した医療材料を処置単位に管理することを支援することができる。
【００２６】
また本発明は、前記実績データ記憶工程で記憶された情報に基づいて、前記医療材料を含む物品の在庫の量を示す在庫量情報を更新する在庫量データ更新工程を含むことを特徴とする。
【００２７】
本発明に従えば、処置とその処置に使用する物品の数量を予め関連付けているので、実施した処置を入力すれば、処置で使用することが予め関連付けられている物品については、その物品の使用量が在庫量に反映され、物品の使用量を入力しなくても在庫量の管理が可能となる。
【００２８】
また本発明は、コンピュータに前記医療機関物流管理方法を実行させるためのプログラムである。
【００２９】
本発明に従えば、前記医療機関物流管理方法をコンピュータに実行させるためのプログラムとして提供することができる。
【００３０】
また本発明は、前記プログラムを記録したコンピュータ読取り可能な記録媒体である。
本発明に従えば、前記医療機関物流管理方法をコンピュータに実行させるためのプログラムを記録したコンピュータで読取り可能な記録媒体として提供することができる。
【発明の効果】
【００３１】
本発明によれば、使用した医療・衛生材料を患者と関連付けることで、処置毎に要した材料費を把握することができるので、より細かなレベルまで原価管理を行うことができる。
【００３２】
さらに、処置とその処置に使用する物品の数量を予め関連付けることで、実施した処置を入力するだけで、処置で使用した物品の在庫量を管理することができる。
【００３３】
さらにまた、入力された処置情報、つまり患者毎に処置に使用した物品とその数量の情報を実施記録として保持しているので、その実施記録を保険請求などの医事会計時に使用することで、医事請求漏れを防止することも可能になる。具体的には、この実施記録の情報を、医療機関物流システムから医事会計システムにデータ通信などによって提供することによって、医事請求漏れをより確実に防止することが可能になる。
【発明を実施するための最良の形態】
【００３４】
図１は、本発明の実施の一形態である病院内物流システム１の構成を示す図である。医療機関物流システムである病院内物流システム１は、物品管理計算機１０、プリンタ１１、バーコードリーダ１２、入力用端末計算機２０、プリンタ２１、バーコードリーダ２２、およびネットワーク３０を含んで構成される。医療・衛生材料用棚４０は、複数の引き出し４１を含み、各引き出しには、引き出しの中に格納されている医療・衛生材料を識別するための情報が記録されたラベル４２が貼り付けられている。各引き出し４１には、貼り付けられたラベル４２に記載された識別情報に対応する医療・衛生材料が保管されている。
【００３５】
物品管理計算機１０および入力用端末計算機２０は、汎用のＯＳ（Operating System）で動作するコンピュータであり、情報を入力するためのキーボードおよびマウスなどの入力装置と、ユーザに情報を表示するための液晶ディスプレイなどの表示画面を有する表示装置を含む。タッチパネルのように表示と入力とが１つの装置で行えるものを用いてもよい。
【００３６】
物品管理計算機１０と入力用端末計算機２０には、それぞれ、帳票などを印字するためのプリンタ１１とプリンタ２１、およびラベル４２に記録された医療・衛生材料を識別するための情報を読み取るためのバーコードリーダ１２とバーコードリーダ２２が接続されている。医療・衛生材料を識別するための情報を読み取るための装置は、バーコードリーダに限らず、ラベル４２の代わりに、ＱＲ（Quick Response）コードなどの２次元コードあるいはＩＣタグなどを用いて、２次元コードあるいはＩＣタグの情報を読み取る装置を用いてもよく、または医療・衛生材料を識別するための情報を入力装置から直接入力してもよい。医療・衛生材料を識別するための情報の入力方法は問わない。
【００３７】
物品管理計算機１０は、病院内物流システム１のデータを管理するコンピュータであり、後述するデータベースを含み、物品を管理する主管管理部署などに設置される。入力用端末計算機２０は、実施した処置および使用した医療材料の情報、あるいは実施予定の処置および使用予定の医療材料の情報を入力するためのコンピュータであり、ＬＡＮ
（Local Area Network）およびＷＡＮ（Wide Area Network）などの通信網であるネットワーク３０を介して物品管理計算機１０に接続されている。
【００３８】
主管管理部署は、物品管理計算機１０の入力装置から、管理対象とする処置の名称、医療材料を含む物品の名称、およびその処置に使用する物品の員数を含む情報を入力し、後述するデータベースに登録する。
【００３９】
看護師等の職員は、実施した処置を入力するとき、入力用端末計算機２０からログインする。入力用端末計算機２０は、物品管理計算機１０のデータベースに登録された情報を表示装置に表示する。看護師等の職員は、実施した処置の名称、実施した処置に使用した物品の名称、およびその物品の員数を含む情報を、表示装置に表示された情報の中から選択または前記表示された情報を修正して、患者毎にかつ処置毎に入力する。入力用端末計算機２０は、入力された情報を、物品管理計算機１０に転送すると、物品管理計算機１０は、転送された情報を、実施した処置に関する情報を管理するための実績管理テーブルに記憶し、実績管理テーブルに記憶した情報を入力用端末計算機２０の表示装置に表示する。
【００４０】
実施予定を入力するとき、看護師等の職員は、入力用端末計算機２０からログインする。入力用端末計算機２０が物品管理計算機１０のデータベースに登録された情報を表示装置に表示すると、看護師等の職員は、実施予定の処置の名称、実施予定の処置に使用する物品の名称、およびその物品の員数を含む情報を、表示装置に表示された情報の中から選択または前記表示された情報を修正して、患者毎にかつ処置毎に入力する。情報を修正する場合には、バーコードリーダ１２，２２または上述したＩＣタグなどの情報読み取り装置を用いて修正情報を入力してもよい。入力用端末計算機２０は、入力された情報を物品管理計算機１０に転送すると、物品管理計算機１０は、転送された情報を、実施予定の処置を管理する実施予定処置テーブルに記憶する。
【００４１】
実施予定を入力した後で実施した処置を入力するとき、看護師等の職員は、入力用端末計算機２０からログインする。入力用端末計算機２０が、実施予定処置テーブルに記憶された情報を物品管理計算機１０から受信し、その情報を表示装置に表示すると、看護師等の職員は、表示された情報に修正が必要なときは、修正情報を入力装置から入力する。入力用端末計算機２０が入力された修正情報を物品管理計算機１０に転送すると、物品管理計算機１０は、入力された修正情報に基づいて修正した実施予定処置テーブルの情報を、実績管理テーブルに記憶する。表示された情報に修正が必要でないときは、実施予定処置テーブルの情報がそのまま実績管理テーブルに記憶される。
【００４２】
所定の期間に実施した処置を患者別および／または処置別の処置実績を表示装置に表示またはプリンタに出力するとき、看護師等の職員は、入力用端末計算機２０からログインし、集計する期間を指定して帳票出力を指示する。入力用端末計算機２０から帳票出力要求を受けた物品管理計算機１０は、実績管理テーブルの情報に基づいて、指定された期間について患者別および／または処置別の処置実績を集計し、集計結果を。入力用端末計算機２０に送信し、入力用端末計算機２０の表示装置に表示する。プリント出力が指示されたときは、プリンタ２１に出力する。実施した処置の入力および実施予定の入力は、入力用端末計算機２０だけでなく、物品管理計算機１０からも入力することができる。
【００４３】
図２は、本発明の実施の一形態である病院内物流システム１の機能の構成を示す図である。制御機能５０は、システム全体を制御する機能であり、マスタデータ設定機能５１、実施入力機能５２、物品管理機能５３、および帳票出力機能５４を含み、これらを直接制御する。制御機能５０は、ログインを制御するログイン機能、メニュー選択を制御するメニュー選択機能などの処理を行うが、これらの機能は、従来技術の機能を用いて実現することができるので説明は省略する。
【００４４】
マスタデータ設定機能５１は、管理対象の職員、処置、医療材料を含む物品などの情報をデータベースに登録し、データベースに登録されたマスタデータの追加、変更、または削除を行う。マスタデータ設定機能５１は、病院内物流システム１が管理対象とする医療機関で働く職員に関する情報を登録する職員登録機能５５、医療機関で使用する医療材料を含む物品に関する情報を登録する物品登録機能５６、および医療機関で実施される処置（以下、処置行為ともいう）に関する情報を登録する処置登録機能５７を含む。これらの機能によって設定される情報は、テーブルとしてデータベースに格納され、このデータベースは、物品管理計算機１０に含まれるディスク装置などの記憶装置に記憶される。このデータベースに格納されるテーブルであって、病院内物流システム１で用いられる代表的なテーブルを表１に示す。
【００４５】
【表１】
2006048301.tif 000003
【００４６】
職種マスタ１０１、部署マスタ１０２、職員マスタ１０３、職位マスタ１０４、および権限マスタ１０５は、マスタデータ設定機能の職員登録機能５５によって登録され、職員マスタ１０３が設定される前に、職種マスタ１０１、部署マスタ１０２、職位マスタ１０４、および権限マスタ１０５が設定される。職種マスタ１０１は、医師、看護師、検査技師、事務員などの職種と、その職種を識別するための職種ＩＤ（Identification）が登録される。部署マスタ１０２は、用度課、中央材料室、病棟１、病棟２などの部署と、その部署を識別するための部署ＩＤが登録される。職位マスタ１０４は、看護主任、看護師長、看護部長、事務主任、課長などの職位と、その職位を識別するための職位ＩＤが登録される。
【００４７】
権限マスタ１０５は、表示画面に表示される画面を操作する権限を設定したテーブルであり、操作を許可する画面ＩＤ、画面内機能ＩＤ、職種ＩＤ、部署ＩＤなどを登録しておくことによって、職種、部署、職位によって使用することができる機能を制限する範囲を設定する。たとえば物品マスタ画面は、用度課の職員のみが操作することができるということが登録される。職員マスタ１０３は、職員の基本情報、たとえば職員氏名、職員ＩＤ、部署ＩＤ、職種ＩＤ、職位ＩＤが登録される。
【００４８】
物品マスタ１１０は、マスタデータ設定機能の物品登録機能５６によって、物品の基本情報、物品ＩＤ、大分類、中分類、品名、型番、規格、メーカ名、単価、請求名称、最小発注単位、標準納期（日数）、特定診療材料区分、発注先ＩＤ、単位ＩＤなどが登録される。
【００４９】
マスタデータ設定機能の処置登録機能５７によって、患者に対する処置に関する情報、たとえば処置名称、画面に表示するための表示名称、処置を選択する際に指定するグループである部位・手技区分、処置に使用する医療材料、その処置に使用する医療材料の標準的な数量、およびその数量の単位が登録される。処置行為マスタ１０６には、処置行為ＩＤ、処置名称、表示名称が登録され、単位マスタ１０７には、単位ＩＤ、単位名称が登録され、処置行為別使用物品テーブル１０８には、処置行為ＩＤ、物品ＩＤ、標準使用量、単位ＩＤが登録される。
【００５０】
部位・手技区分は、たとえば気管、胃、腸、膀胱、突刺、皮膚科軟膏処置、創傷処置、熱傷処置、術後創傷処置、索引、ＩＶＨ（Intravenous pyelography）に分類される。気管の区分には、喀痰吸引、干渉低周波去痰器を用いた喀痰排出、救命のための気管内挿管、気管内洗浄、超音波ネブライザーが含まれる。胃の区分には、胃持続ドレナージが含まれ、腸の区分には、注腸、腸内ガス排気装置、摘便、普通浣腸が含まれる。膀胱の区分には、留置カテーテル、導尿、膀胱洗浄が含まれ、突刺の区分には、胸腔、腹腔、骨髄、腰椎が含まれる。
【００５１】
実施入力機能５２は、実施された処置および処置に使用した医療材料などを記録としてデータベースに残す。実施入力機能５２は、処置を実施する前に実施予定の処置を設定する実施予定入力機能５８を含む。
【００５２】
実施予定入力機能５８は、実施予定の処置に関する情報、処置行為ＩＤ、実施予定日時、対象患者、物品ＩＤ、予定使用量などの情報が入力されると、実施予定処置テーブル１２１にそれらの情報を設定する。実施予定の処置に関する情報は、必ずしも設定しておく必要はないが、設定されていない場合は、処置を実施した後に、実施した処置が入力された際に行われる事前設定した内容との照合は行われない。実施予定の処置の設定は、電子カルテ／オーダリングシステムと連携している場合には、電子カルテ／オーダリングシステムから実施予定の処置に関する情報を取り込んでも行ってもよい。
【００５３】
実施入力機能５２は、患者に実施された処置と使用された医療材料に関する情報が入力されると、その情報を患者毎にデータベース内の処置行為実績管理テーブル１１４に記憶するとともに、データベース内の処置行為別使用実績管理テーブル１１５に記憶する。実施予定入力機能５８によって実施予定の処置に関する情報が入力されている場合は、実施予定の処置に関する情報を実施予定処置テーブル１２１から読み出して表示し、職員は、表示した情報と異なる場合のみ修正情報を入力すればよい。
【００５４】
処置行為実績管理テーブル１１４は、患者毎に作成される入院処置伝票をプリンタに出力する際の元データになるテーブルであり、患者毎の処置の実施履歴が記憶される。このテーブルに記憶される情報は、処置行為ＩＤ、実施日時、実施者、処置対象の患者ＩＤなどの処置に関する情報が記憶される。
【００５５】
処置行為別使用実績管理テーブル１１５は、処置別に、使用実績を日報または月報として、あるいは指定された期間について、作成する際の元データになるテーブルであり、このテーブルに記憶される情報は、処置実施日、実施した処置、処置に使用した医療材料、その医療材料の使用量などの処置に関する情報が記憶される。
【００５６】
物品管理機能５３は、消費量一括入力機能５９を含み、部署毎の医療材料の在庫を管理するためのテーブルである部署別物品在庫量テーブル１１６を管理する。物品管理機能５３は、更新前の該当する医療材料の在庫量から、実施入力機能５２で入力され、処置行為実績管理テーブル１１４に記憶された使用量を減じて、更新後の在庫量とする計算を行い、更新後の在庫量が部署別物品在庫量テーブル１１６に記憶される。入庫が行われた場合は、更新前の該当する医療材料の在庫量に、入庫した数量を加えて、更新後の在庫量とする計算が行われ、更新後の在庫量が部署別物品在庫量テーブル１１６に記憶される。更新される部署は、ログインした職員の職員ＩＤに対応する部署ＩＤが職員マスタ１０３から特定される。
【００５７】
消費量一括入力機能５９は、物品単位に消費量を入力することができる。上述した計算は、使用数量が画面から入力することができる管理単位の場合であるが、使用数量が画面から入力することができる管理単位未満の場合は、この消費量一括入力機能５９によって、管理単位未満の使用数量をまとめて管理単位として一括入力する。この場合、患者および処置とは独立に、物品単位で数量が入力される。物品を識別する情報は、入力画面から入力してもよいし、医療・衛生材料棚４０の引き出しに貼ったラベル４２をバーコードリーダ１２または２２で読み取ってもよいし、使用頻度の高い物品については、それらの物品を識別することができるバーコードをまとめて紙に貼付したものを用意しておいて、それをバーコードリーダ１２または２２で読み取ってもよい。
【００５８】
帳票出力機能５４は、処置行為実績管理テーブル１１４の情報に基づいて患者別に使用した医療材料、および／または処置行為別使用実績管理テーブル１１５の情報に基づいて処置別に使用した医療材料を、日報あるいは月報として、あるいは指定された期間について集計し、表示画面に表示あるいはプリンタに出力する。集計のために、各テーブルから必要な情報を取り出す際は、ＳＱＬ（Structure Query Language）などのデータベースのデータを操作する言語を用いることによって、取り出すことができる。
【００５９】
帳票出力機能５４は、日報あるいは月報として、あるいは指定された期間について集計する際に、処置毎に各医療材料の平均使用量を算出し、出力することができ、医療材料の平均使用量は、指定された期間内に使用したその医療材料の使用量の総計を、その期間内に実施した処置の実施回数で除することによって求められる。
【００６０】
この平均使用量から、処置ごとのコストを算出することができる。まず、医療材料毎に、その医療材料の平均使用量にその医療材料の単価を乗ずることによって、医療材料毎のコストを求める。次に、コストを求めたい処置に使用される医療材料について、求めた医療材料毎のコストを総計することによって求められる。医療材料の単価は、物品マスタ１１０から求められる。
【００６１】
患者マスタ１０９は、患者の基本情報を格納するテーブルであり、患者ＩＤ、氏名、入院／外来区分、病棟、部屋番号、ベッド番号などの情報が格納される。物品マスタ１１０は、物品の基本情報を格納するテーブルであり、物品ＩＤ、大分類、中分類、品名、型番、規格、メーカ名、単価、請求名称、最小発注単位、標準納期（日数）、特定診療材料区分、発注先ＩＤ、単位ＩＤなどの情報が格納される。セット物品管理マスタ１１１は、セットで管理する物品のセット名称とセットコードを結びつけるテーブルであり、セットＩＤ、セット名称などの情報が格納される。セット構成管理マスタ１１２は、セットの構成物品を格納するテーブルであり、物品ＩＤ、必要数量、単位などの情報が格納される。
【００６２】
発注先マスタ１１３は、物品の発注先の基本情報を格納するテーブルであり、発注先ＩＤ、発注先名称、担当者、所在地、電話番号、ＦＡＸ番号、Ｅ−ｍａｉｌアドレスなどの情報が格納される。部署別物品定数管理テーブル１１７は、部署毎の各物品の定数を格納するテーブルであり、部署ＩＤ、物品ＩＤ、最低在庫量、発注在庫量などの情報が格納される。発注実績管理テーブル１１８は、各部署から発注または請求した実績を管理するテーブルであり、発注日付、発注ＮＯ、発注部署ＩＤ、発注者ＩＤ、承認者ＩＤ、納期などの情報が格納される。発注明細テーブル１１９は、各発注の明細情報を確認するためのテーブルであり、発注ＮＯ、発注物品ＩＤ、発注個数、納入状況などの情報が格納される。納入実績管理テーブル１２０は、物品の納入に関する情報を管理するテーブルであり、納入日、発注ＮＯ、納入部署ＩＤ，納入確認者ＩＤなどの情報が格納される。
【００６３】
図３は、本発明の実施の一形態である病院内情報システム１の表示画面に表示される基本的な画面の構成の一例を示す図である。画面の構成は、たとえば第１階層７０から第６階層７５までの６階層から構成されている。第Ｎ階層の画面は、１つ上の階層である第Ｎ−１階層の画面から呼び出されるが、他の階層の画面を直接呼び出す機能を付加すれば、使用頻度の高い画面を直接呼び出すようにすることもできる。
【００６４】
第１階層７０は、病院内物流システム１が起動されると表示される画面であり、ユーザが、病院内物流システム１にログインするためのログイン画面である。第２階層７１は、ログインした後に表示されるメニュー画面であり、入院患者選択、外来患者選択、患者登録、処置登録、物品管理、帳票出力、マスタ管理などの機能を選択する画面である。第３階層７２以下の階層は、メニュー画面で選択された機能によって決められた画面が表示される。
【００６５】
第３階層７２の画面には、入院患者選択、外来患者選択、患者登録、処置登録、物品管理、帳票出力、マスタ管理などの画面があり、入院患者選択画面からは、第４階層７３の処置メニューの画面、処置メニューの画面からは、第５階層７４の処置実施入力の画面、処置実施入力の画面からは、第６階層７５の前日実施処置一覧または実施予定処置入力の画面が呼び出される。外来患者選択画面からは、第４階層７３の処置実施入力の画面が呼び出される。
【００６６】
物品管理の画面からは、第４階層７３の物品請求、物品請求状況、在庫表示、在庫修正、または消費量一括入力の画面が呼び出される。帳票出力からは、現在在庫量、消費物品一覧、発注物品一覧、納入物品一覧、患者別処置実績、または処置別実績が呼び出される。マスタ管理画面からは、職員マスタ、職種マスタ、所属部署マスタ、職位マスタ、権限マスタ、物品マスタ、セットマスタ、または発注先マスタが呼び出される。
【００６７】
病院内物流システム１で用いられる代表的な画面を表２に示す。以下各画面について詳述する。
【００６８】
【表２】
2006048301.tif 000004
【００６９】
図４は、本発明の実施の一形態である病院内物流システム１で用いられるログイン画面２００の一例を示す図である。ログイン画面２００は、システム起動時に自動表示される画面であり、使用者の認証を行うための画面である。ログイン画面２００には、画面のタイトル「ログイン画面」、入力項目「職員ＩＤ」と「パスワード」、および操作ボタンである「ログイン」ボタン２０３と「終了」ボタン２０４が表示されている。使用者は、キーボードおよびタッチパネルに表示された操作ボタンなどの入力装置を用いて、職員ＩＤとパスワードをそれぞれ入力部２０１と２０２に入力し、「ログイン」ボタン２０３を選択するとメニュー画面２１０が表示される。ログインを行わない場合は、「終了」ボタン２０４を選択することによって、ログインを行わずに終了することができる。
【００７０】
図５は、本発明の実施の一形態である病院内物流システム１で用いられるメニュー画面２１０の一例を示す図である。メニュー画面２１０は、病院内物流システム１で使用可能な機能を選択する画面である。メニュー画面２１０には、画面のタイトル「メニュー画面」、操作ボタンである「入院患者選択」ボタン２１１、「外来患者選択」ボタン２１２、「物品管理」ボタン２１３、「帳票出力」ボタン２１４、「マスタ管理」ボタン２１５、「患者登録」ボタン２１６、「処置登録」ボタン２１７、および「ログアウト」ボタン２１８が表示されている。「入院患者選択」ボタン２１１、「外来患者選択」ボタン２１２、「物品管理」ボタン２１３、「帳票出力」ボタン２１４、「マスタ管理」ボタン２１５、「患者登録」ボタン２１６、または「処置登録」ボタン２１７のいずれかの操作ボタンを選択すると、対応する表示画面、具体的には、それぞれ入院患者選択画面３３０、外来患者選択画面３６０、物品管理画面２７０、帳票出力メニュー画面４５０、マスタ管理画面２６０、患者登録画面２２０、または処置登録画面２４０が表示される。「ログアウト」ボタン２１８を選択すると、ログアウトして処理を終了することができる。
【００７１】
図６は、本発明の実施の一形態である病院内物流システム１で用いられる患者登録画面２２０の一例を示す図である。患者登録画面２２０は、病院内物流システム１に患者を登録する画面である。患者登録画面２２０には、画面のタイトル「患者登録画面」、入力項目「患者ＩＤ」、「患者氏名」、「性別」、および「入院／外来」、入院時の選択項目「病棟」、「病室」、および「ベッド番号」、操作ボタンである「メニュー」ボタン２２８、「登録」ボタン２２９、および「削除」ボタン２３０が表示されている。使用者は、患者ＩＤと患者氏名をそれぞれ入力部２２１，２２２に入力し、性別と入院／外来の別をそれぞれ選択部２２３と２２４から選択する。選択部２２３には、「男」または「女」をそれぞれの前に表示されている丸印の部分をマウス等で選択する。同様に、選択部２２４では、「入院」または「外来」を選択する。入院時の選択項目には、選択部２２５で病棟、選択部２２６で病室、選択部２２７でベッド番号を選択する。選択部２２５〜選択部２２７は、右側にある「▽」ボタンを操作することによって、それぞれの選択肢が表示されるのでその中から選択する。選択部２２５では病棟「１階東」、選択部２２６では病室「１０１」、選択部２２７ではベッド番号「１」が選択されている。入力した情報を登録するときは、「登録」ボタン２２９、入力した情報を削除するときは、「削除」ボタン２３０、メニュー画面２１０に戻りたいときは、「メニュー」ボタン２２８を選択する。
【００７２】
図７は、本発明の実施の一形態である病院内物流システム１で用いられる処置登録画面２４０の一例を示す図である。処置登録画面２４０は、病院内物流システム１で管理する処置を登録する画面であり、処置名称、処置で使用する物品、その物品の標準使用量を登録する。処置で使用する物品は、その処置で使用する最小保管単位分を消費する医療材料などの物品である。最小保管単位未満の物品は、消費量一括入力画面４３０を用いて、消費した数量を一括して入力する。処置登録画面２４０には、画面のタイトル「処置登録画面面」、入力項目「部位・手技区分」、「処置名称」、「登録済医療材料」、「物品選択」、「新規登録／部位・手技区分」、および「新規登録／処置名称」、操作ボタンである「メニュー」ボタン２５４、「登録」ボタン２５５、および「削除」ボタン２５６が表示されている。
【００７３】
部位・手技区分には、新規登録、気管、胃、腸、膀胱、突刺、皮膚科軟膏処置、創傷処置、熱傷処置、術後創傷処置、索引、およびＩＶＨなどの選択肢があり、操作ボタン２４１の「△」ボタンまたは「▽」ボタンを操作することによってこれらの選択肢から選択でき、選択された項目は、四角の線で囲まれる。新規登録を選択した場合は、新規登録／部位・手技区分の入力部２５２に、新たに登録する名称を入力する。処置名称には、新規登録、喀痰吸引、喀痰排出（干渉低周波去痰器）、超音波ネブライザー、気管内洗浄、救命のための気管内挿管などの選択肢があり、操作ボタン２４２の「△」ボタンまたは「▽」ボタンを操作することによってこれらの選択肢から選択でき、選択された項目は、四角の線で囲まれる。新規登録を選択した場合は、新規登録／処置名称の入力部２５３に、新たに登録する名称を入力する。
【００７４】
登録済医療材料は、選択された医療材料などの物品を表示する部位であり、「選択済物品一覧」と表示されている下に、選択済の医療材料などの物品が品名、数量、単位とともに表示される。この図では「ＸＺカテーテル、１、本」と「ＹＺカテーテル、１、本」が表示されている。選択済の医療材料から選択を解除したい場合は、操作ボタン２４３の「△」ボタンまたは「▽」ボタンを操作することによって、解除したい医療材料を選択し、「選択解除」ボタン２５７を押すことによって選択した医療材料を解除することができる。
【００７５】
物品選択は、選択した処置に使用する物品を選択する部位であり、「物品区分」、「大分類」、「中分類」、「品名」、「数量」、および「単位」などの選択項目がある。各選択項目は、それぞれの操作ボタン２４５〜操作ボタン２５０を操作することによって、表示される選択肢の中から選択することができる。操作ボタン２４５〜操作ボタン２４８を操作する代わりに、物品を識別するための情報が記録されたラベル４２をバーコードリーダ２２等で読み込んで物品を選択してもよい。この例では、それぞれ「カテーテル」、「ＸＸカテーテル」、「Ｘ１カテーテル」、「Ｘ１カテーテル」、「１」、「本」と表示されている。それぞれの項目を選択した後で、「選択」ボタン２５１を操作することによって、登録済医療材料の部位に選択された物品が表示される。
【００７６】
入力した情報を登録するときは、「登録」ボタン２５５、入力した情報を削除するときは、「削除」ボタン２５６、メニュー画面２１０に戻りたいときは、「メニュー」ボタン２５４を操作する。
【００７７】
図８は、本発明の実施の一形態である病院内物流システム１で用いられるマスタ管理画面２６０の一例を示す図である。マスタ管理画面２６０は、病院内物流システム１で扱うデータを管理、たとえばデータを登録、変更、および削除する機能をデータの種類によって選択するメニュー画面である。マスタ管理画面２６０には、画面のタイトル「マスタ管理」、および操作ボタンである「職員マスタ」ボタン２６１、「職種マスタ」ボタン２６２、「所属部署マスタ」ボタン２６３、「職位マスタ」ボタン２６４、「権限マスタ」ボタン２６５、「物品マスタ」ボタン２６６、「セットマスタ」ボタン２６７、「発注先マスタ」ボタン２６８、および「メニュー」ボタン２６９が表示されている。登録したい情報が格納されるテーブルに対応する操作ボタンを操作することによって、目的のテーブルに登録するための操作画面が表示される。メニュー画面２１０に戻りたいときは、「メニュー」ボタン２６９を操作する。
【００７８】
図９は、本発明の実施の一形態である病院内物流システム１で用いられる物品管理画面２７０の一例を示す図である。物品管理画面２７０は、物品を管理するための機能を選択するメニュー画面である。物品管理画面２７０には、画面のタイトル「物品管理」、および操作ボタンである「物品請求」ボタン２７１、「物品請求状況」ボタン２７２、「在庫表示」ボタン２７３、「在庫修正」ボタン２７４、および「メニュー」ボタン２７５が表示されている。目的の処理を行う操作ボタンを操作することによって、その操作画面が表示される。メニュー画面２１０に戻りたいときは、「メニュー」ボタン２７５を操作する。
【００７９】
図１０は、本発明の実施の一形態である病院内物流システム１で用いられる物品マスタ画面２８０の一例を示す図である。物品マスタ画面２８０は、病院内物流システム１で管理する物品の属性情報を登録する画面である。物品マスタ画面２８０には、画面のタイトル「物品マスタ登録」、物品検索条件・登録内容２８１の入力項目「物品ＩＤ」、「大分類」、「中分類」、「品名」、「型番」、「規格」、「メーカ名」、「単価」、「請求名称」、「最小発注単位」、「標準納期（日数）」、「特定診療材料区分」、および「発注先ＩＤ」、検索結果を表示する部位２９５、および操作ボタンである「メニュー」ボタン２９７、「マスタ管理」ボタン２９８、「検索」ボタン２９９、「登録」ボタン３００、「削除」ボタン３０１、および「印刷」ボタン３０２が表示されている。
【００８０】
物品検索条件・登録内容２８１の入力項目に対して、それぞれの入力部２８２〜入力部２９４に対応する内容を入力あるいは選択肢がある場合は選択する。選択肢は、入力部２８３，２８４，２８５，２８８，２８９，２９１，２９３，２９４の「▽」ボタンを操作することによって選択肢が表示され、表示された選択肢の中から選択する。目的の物品を検索するときは、既知の情報を入力した後、「検索」ボタン２９９を操作することによって、入力された情報に合致する物品を検索することができる。
【００８１】
検索結果を表示する部位２９５には、物品ＩＤ、大分類、中分類、品名、型番、規格、メーカ名、単価、請求名称、最小発注単位、標準納期（日数）、特定診療材料区分、および発注先ＩＤが２行に渡って表示される。この例では、物品ＩＤ「００００１」について「００００１、医療材料、ディスポーザル、ＸＸカテーテル、ＸＸ−００１、ＡＡＡ、ｍａｋｅｒ１、１０００、Ｘカテ、１０本、２、Ｘ、９９９」、物品ＩＤ「００００２」について「００００２、事務用品、文房具、シャープペン、ＳＨ−００１、ＢＢＢ、ｍａｋｅｒ２、１００、シャープペンＳＨ、２０本、１、Ｘ、９９９」が表示されている。検索結果を削除したい場合は、操作ボタン２９６の「△」ボタンまたは「▽」ボタンを操作して、削除したい物品を選択した後、「削除」ボタン３０１を操作することによって削除することができる。
【００８２】
「登録」ボタン３００を操作すると、物品検索条件・登録内容２８１に表示されている情報で物品が登録される。メニュー画面２１０に戻りたいときは、「メニュー」ボタン２９７、マスタ管理画面２６０に戻りたいときは、「マスタ管理」ボタン２９８、この画面の内容を印刷したいときは、「印刷」ボタン３０２を操作する。
【００８３】
図１１は、本発明の実施の一形態である病院内物流システム１で用いられる職員マスタ画面３１０の一例を示す図である。職員マスタ画面３１０は、病院内物流システム１を利用する職員の属性情報を登録する画面である。職員マスタ画面３１０には、画面のタイトル「職員マスタ」、検索／登録条件３２３の入力項目「職員ＩＤ」、「職員氏名」、「所属部署ＩＤ」、「職種ＩＤ」、および「職位ＩＤ」、検索結果３２４、および操作ボタンである「メニュー」ボタン３１７、「マスタ管理」ボタン３１８、「検索」ボタン３１９、「登録」ボタン３２０、「削除」ボタン３２１、および「印刷」ボタン３２２が表示されている。
【００８４】
検索／登録条件３２３の入力項目に対して、対応する内容をそれぞれの入力部３１１〜入力部３１５から入力あるいは選択肢があるときは選択する。選択肢は、入力部３１３〜入力部３１５の「▽」ボタンを操作することによって選択肢が表示され、表示された中から選択する。目的の職員を検索するときは、既知の情報を入力した後、「検索」ボタン３１９を操作することによって、入力された情報に合致する職員を検索することができ、検索結果として表示される。
【００８５】
検索結果３２４には、職員ＩＤ、職員氏名、所属部署、職種、および職位が表示される。この例では、職員ＩＤ「００１」について、「００１、ＡＡＡＡＡ、１階東、看護師、師長」、職員ＩＤ「００２」について、「００２、ＢＢＢＢＢ、１階東、看護師、主任」が表示されている。検索結果３２４に表示されている職員を削除したい場合は、操作ボタン３１６の「△」ボタンまたは「▽」ボタンを操作して、削除したい職員を選択した後、「削除」ボタン３２１を操作することによって削除することができる。
【００８６】
「登録」ボタン３２０を操作すると、検索／登録条件３２３に表示されている情報で職員が登録される。メニュー画面２１０に戻りたいときは、「メニュー」ボタン３１７、マスタ管理画面２６０に戻りたいときは、「マスタ管理」ボタン３１８、この画面の内容を印刷したいときは、「印刷」ボタン３２２を操作する。
【００８７】
図１２は、本発明の実施の一形態である病院内物流システム１で用いられる入院患者選択画面３３０の一例を示す図である。入院患者選択画面３３０は、入院患者を選択する画面である。入院患者選択画面３３０には、画面のタイトル「入院患者選択画面」、患者を選択するための操作ボタン３３１〜操作ボタン３５０が病室毎に表示され、さらに「病棟選択」、および操作ボタンである「メニュー」ボタン３５２、「前画面」ボタン３５３、および「次画面」ボタン３５４が表示されている。病棟選択は、操作ボタン３５１の「▽」ボタンを操作することによって選択肢が表示され、表示された選択肢の中から選択する。この例では、「１階東病棟」が選択されている。
【００８８】
病室毎に表示される患者毎の操作ボタンは、たとえば１０１号室については、「ＡＡＡＡＡＡＡさん」ボタン３３１、「ＢＢＢＢＢＢＢさん」ボタン３３２、「ＣＣＣＣＣＣＣさん」ボタン３３３、および「ＤＤＤＤＤＤＤさん」ボタン３３４が表示され、同様に１０２号室〜１０５号室についても表示されている。患者を、操作ボタン３３１〜操作ボタン３５０のいずれかのボタンで選択すると、処置メニュー画面３７０が表示される。メニュー画面２１０に戻りたいときは、「メニュー」ボタン３５２、前の画面に戻りたいときは、「前画面」ボタン３５３、次の画面を表示したいときは、「次画面」ボタン３５４を操作する。
【００８９】
図１３は、本発明の実施の一形態である病院内物流システム１で用いられる外来患者選択画面３６０の一例を示す図である。外来患者選択画面３６０は、外来の患者を選択する画面である。外来患者選択画面３６０には、画面のタイトル「外来患者選択」、入力項目「患者ＩＤ入力」と「患者名カナ入力」、検索された患者の情報を表示する部位３６４、および操作ボタンである「患者検索」ボタン３６３、「メニュー」ボタン３６５、および「患者確定」ボタン３６６が表示されている。
【００９０】
入力項目「患者ＩＤ入力」と「患者名カナ入力」に対して、それぞれ入力部３６１と３６２に必要な情報を入力し、「患者検索」ボタン３６３を操作すると検索結果が検索された患者の情報を表示する部位３６４に表示される。この例では、「患者ＩＤ  ９９９９９９、患者名  ＸＸＸＸＸＸＸＸさん、生年月日  ＹＹＹＹ年ＭＭ月ＤＤ日、性別  Ｘ」と表示されている。検索結果に示された患者が該当者であれば、「患者確定」ボタン３６６操作して患者を確定すると、処置実施入力画面３８０が表示される。外来患者は、入院患者と異なり、毎日来院する可能性が少ないため、処置メニュー画面３７０は表示しない。メニュー画面２１０に戻りたいときは、「メニュー」ボタン３６５を操作する。
【００９１】
図１４は、本発明の実施の一形態である病院内物流システム１で用いられる処置メニュー画面３７０の一例を示す図である。処置メニュー画面３７０は、実施する予定の処置の入力または実施した処置の入力の画面を選択する画面である。処置メニュー画面３７０には、画面のタイトル「処置メニュー」、操作ボタンである「予定入力」ボタン３７１、「実施入力」ボタン３７２、および「患者選択」ボタン３７３が表示されている。実施する予定の処置の入力のときは、「予定入力」ボタン３７１、実施した処置の入力のときは、「実施入力」ボタン３７２を操作することによって、それぞれ実施予定処置入力画面４１０、処置実施入力画面３８０が表示される。入院患者選択画面３３０に戻りたい場合は、「患者選択」ボタン３７３を操作する。
【００９２】
図１５は、本発明の実施の一形態である病院内物流システム１で用いられる処置実施入力画面３８０の一例を示す図である。処置実施入力画面３８０は、実施した処置を入力する画面である。実施した処置、使用した医療材料、およびその使用数量などの情報を入力する。使用した医療材料の使用数量は、標準使用量が表示される。処置実施入力画面３８０には、画面のタイトル「ＸＸＸＸＸさん処置実施入力  実施者：ＹＹＹＹＹＹＹ」、入力項目「実施日」、「部位・手技選択」、「詳細項目選択」、および「使用材料入力」および操作ボタンである「日付選択」ボタン３８５、「メニュー」ボタン３９３、「患者選択」ボタン３９４、「本日実施予定処置一覧」ボタン３９５、「前日実施処置一覧」ボタン３９６」、「使用材料追加」ボタン３９７、および「実施入力」ボタン３９８が表示されている。
【００９３】
実施日は、操作している年月日が表示されるが、年月日を変更したいときは、年、月、日をそれぞれ入力部３８１〜３８３から入力するか、日については操作ボタン３８４の「△」ボタンまたは「▽」ボタンを操作し、「日付選択」ボタン３８５によって年月日を確定することができる。実施処置一覧には、入力された処置が一覧表で表示される。処置の数が多いために表示欄に入りきらない場合は、操作ボタン３８６の「△」ボタンまたは「▽」ボタンを操作してスクロールすることによって見ることができる。この例では「超音波ネブライザー」が表示されている。
【００９４】
部位・手技選択では、たとえば気管、胃、腸、膀胱、突刺、皮膚科軟膏処置、創傷処置、および熱傷処置が表示されているが、区分の選択は、操作ボタン３８７の「△」ボタンまたは「▽」ボタンを操作して、区分を選択することができる。表示されていない区分を表示したいときは、操作ボタン３８７の「△」ボタンまたは「▽」ボタンを操作して、スクロールすることによって見ることができる。この例では、「気管」が選択されており、選択されている区分、この場合、「気管」が四角の線で囲まれている。詳細項目選択では、「気管：詳細項目選択」と表示されており、「気管」についての詳細項目が表示されていることを示している。この例では、喀痰吸引、喀痰排出（干渉低周波去痰器）、救命のための気管内挿管、気管内洗浄、超音波ネブライザーが選択肢として表示されている。詳細項目の選択は、操作ボタン３８８の「△」ボタンまたは「▽」ボタンを操作して、選択することができる。この例では、「気管内洗浄」が選択されており、選択されている詳細項目、この場合、「気管内洗浄」が四角の線で囲まれている。
【００９５】
使用材料入力では、「気管内洗浄：使用材料入力」と表示されており、詳細項目選択で選択された「気管内洗浄」が表示されている。使用材料入力の部位３８９には、「材料」、「標準使用量」、「今回の使用量」が、材料毎に表示され、この例では、材料として、「気管カテーテル」、「生理食塩水（２００ｍｌ）」、および「注射器」の３種類の材料が表示され、それぞれの標準使用量は、「１本」、「１パック」、および「１本」である。それらに対する今回の使用量は、それぞれ入力部３９０〜３９２に標準使用量が表示されるが、変更があるときは、入力部３９０〜３９２に入力することによって変更することができる。この例では、それぞれ「１」本、「２」パック、および「１」本と表示されている。
【００９６】
入力した情報は、「実施入力」ボタン３９８を操作することによってデータベースの処置行為実績管理テーブル１１４および処置行為別使用実績管理テーブル１１５に記憶される。すべての項目が入力されていないときは、警告メッセージが表示される。実施した処置で使用した材料が使用材料入力の部位３８９に表示されていないときは、「使用材料追加」ボタン３９７を操作して、使用材料追加画面に移り、表示されていない材料を使用材料追加画面で追加入力することができる。
【００９７】
本日の実施予定処置の一覧を表示したいときは、「本日実施予定処置一覧」ボタン３９５、前日の実施処置の一覧を表示したいときは、「前日実施処置一覧」ボタン３９６を操作する。メニュー画面２１０に戻りたいときは、「メニュー」ボタン３９３を操作し、患者選択画面に戻りたい場合は、「患者選択」ボタン３９４を操作する。
【００９８】
図１６は、本発明の実施の一形態である病院内物流システム１で用いられる使用材料追加画面４００の一例を示す図である。使用材料追加画面４００は、実施した処置で使用した材料が表示されていないときに、その材料を追加入力する画面である。使用材料追加画面４００には、画面のタイトル「使用材料追加」と物品選択４０１がある。物品選択４０１には、「物品区分」、「大分類」、「中分類」、「品名」、「使用数量」、および「単位」などの選択項目、および「追加」ボタン４０８と「戻る」ボタン４０９がある。
【００９９】
各選択項目は、それぞれの操作ボタン４０２〜操作ボタン４０７を操作することによって、表示される選択肢の中から選択することができる。操作ボタン４０２〜操作ボタン４０５を操作する代わりに、物品を識別するための情報が記録されたラベル４２をバーコードリーダ２２等で読み込んで材料を選択してもよい。この例では、それぞれ「カテーテル」、「ＸＸカテーテル」、「Ｘ１カテーテル」、「Ｘ１カテーテル」、「１」、「本」と表示されている。
【０１００】
選択した材料を追加するときは「追加」ボタン４０８を操作する。「追加」ボタン４０８を操作すると、画面は処置実施入力画面３８０に戻る。「戻る」ボタン４０９は、材料を追加せずに処置実施入力画面３８０に戻るときに操作する。使用材料追加画面４００は、通常処置に使用しない材料を使用したとき、つまり処置に使用する材料として登録されてない材料を使用したとき、実施した処置に使用した材料として追加するための画面であり、処置に使用する材料として登録するときは、図７に示した処置登録画面２４０で材料の登録を行う。
【０１０１】
図１７は、本発明の実施の一形態である病院内物流システム１で用いられる前日実施処置一覧４１０の一例を示す図である。前日実施処置一覧４１０は、前日に実施した処置の一覧を表示する画面である。前日実施処置一覧４１０には、画面のタイトル「ＸＸＸＸＸＸＸさん」、サブタイトル「ＹＹＹＹ年ＭＭ月ＤＤ日実施処置一覧」、実施した処置一覧および操作ボタンである「戻る」ボタン４１２と「本日実施へ転送」ボタン４１３が表示されている。この例では、実施した処置一覧として、「超音波ネブライザー」と「気管内洗浄」が表示されている。表示数が多く表示しきれないときは、操作ボタン４１１の「△」ボタンまたは「▽」ボタンを操作して、スクロールすることによって表示することができる。元の画面に戻るときは、「戻る」ボタン４１２、表示されている内容を、本日の実施処置として入力したいときは、「本日実施へ転送」ボタン４１３を操作する。
【０１０２】
図１８は、本発明の実施の一形態である病院内物流システム１で用いられる実施予定処置入力４１５の一例を示す図である。実施予定処置入力４１５は、実施する予定の処置を入力する画面である。実施予定処置入力４１５には、画面のタイトル「ＸＸＸＸＸさん予定処置入力」、入力項目「実施日」、「部位・手技選択」、および「詳細項目選択」、「入力済処置一覧」、および操作ボタンである「日付選択」ボタン４２０、「解除」ボタン４２４、「戻る」ボタン４２５、「患者選択」ボタン４２６、「登録」ボタン４２７、および「本日実施へ転送」ボタン４２８が表示されている。
【０１０３】
実施日は、操作している年月日が表示されるが、年月日を変更したいときは、年、月、日をそれぞれ入力部４１６〜入力部４１８から入力するか、日については操作ボタン４１９の「△」ボタンまたは「▽」ボタンを操作し、「日付選択」ボタン４２０によって年月日を確定することができる。
【０１０４】
部位・手技選択では、たとえば気管、胃、腸、膀胱、突刺、皮膚科軟膏処置、創傷処置、および熱傷処置が表示されているが、区分の選択は、操作ボタン４２１の「△」ボタンまたは「▽」ボタンを操作して、区分を選択することができる。表示されていない区分を表示したいときは、操作ボタン４２１の「△」ボタンまたは「▽」ボタンを操作して、スクロールすることによって見ることができる。この例では、「気管」が選択されており、選択されている区分、この場合、「気管」が四角の線で囲まれている。詳細項目選択では、「気管：詳細項目選択」と表示されており、「気管」についての詳細項目が表示されていることを示している。この例では、喀痰吸引、喀痰排出（干渉低周波去痰器）、救命のための気管内挿管、気管内洗浄、超音波ネブライザーが選択肢として表示されている。詳細項目の選択は、操作ボタン４２２の「△」ボタンまたは「▽」ボタンを操作して、選択することができる。この例では、「気管内洗浄」が選択されており、選択されている詳細項目、この場合、「気管内洗浄」が四角の線で囲まれている。
【０１０５】
入力済処置一覧では、「入力済処置一覧  ＹＹＹＹ年ＭＭ月ＤＤ日」と表示され、「超音波ネブライザー」と「気管内洗浄」が表示されている。表示数が多く表示しきれないときは、操作ボタン４２３の「△」ボタンまたは「▽」ボタンを操作して、スクロールすることによって表示することができる。
【０１０６】
選択した情報を登録したいときは、「登録」ボタン４２７、入力済処置一覧に表示されている処置を削除したいときは、「解除」ボタン４２４、表示されている内容を本日の実施処置として入力したいときは、「本日実施へ転送」ボタン４２８、元の画面に戻るときは、「戻る」ボタン４２５、入院患者選択画面３３０に戻りたいときは、「患者選択」ボタン４２６を操作する。
【０１０７】
図１９は、本発明の実施の一形態である病院内物流システム１で用いられる消費量一括入力画面４３０の一例を示す図である。消費量一括入力画面４３０は、処置実施入力画面で入力できない物品の消費量を入力する画面である。消費量一括入力画面４３０には、画面のタイトル「請求／（消費量）一括入力」、消費物品とその消費量を入力する部位と物品を選択する３つの部位、および操作ボタンである「メニュー」ボタン４４４が表示されている。
【０１０８】
消費物品とその消費量を入力する部位には、入力項目「消費物品」と「消費量」、および操作ボタンである「決定」ボタン４３９と「クリア」ボタン４４０が表示されている。消費物品と消費量は、それぞれ入力部４３７，４３８から入力する。入力項目「消費物品」は、物品を選択する３つの部位のいずれかによって選択して入力してもよい。
【０１０９】
最近使用した物品から物品を選択する部位は、最近使用した物品の一覧から目的の物品を選択する。この例では、「消毒用アルコール（ＸＸ−ＡＬ１）」、「シャープペン」、「脱脂綿（ＤＳ−ＭＥＮ−００２）」、および「消しゴム（ＥＲ−Ｘ１）」が表示され、操作ボタン４３１の「△」ボタンまたは「▽」ボタンを操作して目的の物品を選択し、この例では、「消毒用アルコール（ＸＸ−ＡＬ１）」が四角の線で囲まれて、選択されたことが示されている。「選択」ボタン４３２を操作することによって、四角の線で囲まれた物品を選択することができる。
【０１１０】
物品選択から物品を選択する部位は、大分類、中分類、および製品のそれぞれを選択することによって、目的の物品を選択する。大分類、中分類、および製品は、それぞれ操作ボタン４３３〜操作ボタン４３５を操作して選択する。この例では、それぞれ「ＸＸＸ」、「ＹＹＹ」、「ＺＺＺ」が選択されている。「選択」ボタン４３６を操作することによって目的の物品が選択される。
【０１１１】
製品検索（文字入力）から物品を選択する部位は、入力項目「製品名」、検索結果、および操作ボタンである「選択」ボタン４４２が表示されている。製品名を入力部４４１に入力すると、入力された文字に関連する製品名が検索結果に表示される。この例では、製品名として「ア」を入力部４４１へ入力すると、先頭文字が「ア」である製品名、たとえば「アルコール（ＸＸ−ＡＬ１）」、「アルコール（ＸＹ−ＡＬ２）」、「アルコール（ＸＺ−ＡＬ３）」、および「アルコール（ＸＺ−ＡＬ４）」が検索結果に表示されている。操作ボタン４４３の「△」ボタンまたは「▽」ボタンを操作して目的の物品を選択し、「選択」ボタン４４２を操作することによって目的の物品が選択される。この例では、「アルコール（ＸＸ−ＡＬ１）」が四角の線で囲まれて、選択されたことが示されている。
【０１１２】
物品を選択する方法として、バーコードリーダを用いてもよい。メニュー画面２１０に戻りたいときは、「メニュー」ボタン４４４を操作する。
【０１１３】
図２０は、本発明の実施の一形態である病院内物流システム１で用いられる帳票出力メニュー画面４５０の一例を示す図である。帳票出力メニュー画面４５０は、帳票を出力するための画面である。帳票出力メニュー画面４５０には、画面のタイトル「帳票出力メニュー」、操作ボタンである「現在在庫量」ボタン４５１、「消費物品一覧」ボタン４５２、「発注物品一覧」ボタン４５３、「納入物品一覧」ボタン４５４、「患者別処置実績」ボタン４５５、「処置別実績」ボタン４５６、および「メニュー」ボタン４５７が表示されている。目的の帳票を表示するための画面を、対応する操作ボタン４５１〜４５６を操作することによって選択することができる。メニュー画面２１０に戻りたいときは、「メニュー」ボタン４５７を操作する。
【０１１４】
図２１は、本発明の実施の一形態である病院内物流システム１で用いられる患者別処置実績画面４６０の一例を示す図である。患者別処置実績画面４６０は、患者別処置実績の帳票を出力するための画面である。患者別処置実績画面４６０には、画面のタイトル「患者別処置実績」、サブタイトル「ＹＹＹＹ年ＭＭ月  ＡＡＡＡＡＡ様  処置実績」、処置行為別実施回数一覧、入力項目「年」、「月」、「病棟」、および「患者」、操作ボタンである「メニュー」ボタン４７０、「患者選択」ボタン４７１、「決定」ボタン４７２、「印刷」ボタン４７３、「前画面」ボタン４７４、および「次画面」ボタン４７５が表示される。
【０１１５】
入力項目である年と月に対して、入力部４６６と４６７からそれぞれ年と月を入力し、操作ボタン４６８の「▽」ボタンを操作して病棟を選択し、操作ボタン４６９の「▽」ボタンを操作して患者を選択する。この例では、「ＹＹＹＹ」年、「ＭＭ」月について、「１階東」病棟の「患者Ａ」患者が選択されており、「決定」ボタン４７２を操作することによって、「患者Ａ」患者についての処置行為別実施回数一覧が表示される。
【０１１６】
処置行為別実施回数一覧には、「処置行為」欄４６１の下の欄に処置の名称が表示され、この例では、「気管内洗浄」と「超音波ネブライザー」が表示されている。処置別の実施回数は、日毎に表示され、この例では、１日から１０日までの実施回数が表示されている。実施した処置行為が１画面で表示できないときは、操作ボタン４６４の「△」ボタンまたは操作ボタン４６５の「▽」ボタンを操作して、表示されていない処置行為の実施回数を表示することができる。１１日から２０日まで、または２１日から月末までの実施回数は、「前画面」ボタン４７４、あるいは「次画面」ボタン４７５を操作することによって表示することができる。
【０１１７】
表示されている処置行為別実施回数一覧を印刷したいときは、「印刷」ボタン４７３、メニュー画面２１０に戻りたいときは、「メニュー」ボタン４７０を操作し、患者選択画面に戻りたい場合は、「患者選択」ボタン４７１を操作する。
【０１１８】
図２２は、本発明の実施の一形態である病院内物流システム１で用いられる処置別実績画面４８０の一例を示す図である。処置別実績画面４８０は、処置毎に使用した医療材料の実績を出力するための画面である。処置別実績画面４８０には、画面のタイトル「処置別実績」、サブタイトル「ＹＹＹＹ年ＭＭ月  部署：ＸＸＸＸ  気管内洗浄実績」、処置別使用量一覧、入力項目「開始年月」、「終了年月」、「部位・手技選択」、「詳細項目選択」、および「病棟」、操作ボタンである「メニュー」ボタン４９５、「決定」ボタン４９６、「印刷」ボタン４９７、「前画面」ボタン４９８、および「次画面」ボタン４９９が表示される。
【０１１９】
入力項目である開始年月および終了年月に対して、入力部４８６，４８８からそれぞれ年を、入力部４８７，４８９からそれぞれ月を入力し、操作ボタン４９０の「▽」ボタンを操作して部位・手技選択を選択し、操作ボタン４９１の「▽」ボタンを操作して詳細項目選択を選択し、操作ボタン４９２の「▽」ボタンを操作して病棟を選択する。この例では、「気管」が部位・手技選択で選択され、「気管内洗浄」が詳細項目選択で選択され、「１階東」が病棟で選択され、「決定」ボタン４９６を操作することによって、開始年月と終了年月によって指定された期間の処置別使用量一覧が表示される。詳細項目選択は、部位・手技選択で選択された「気管」についての詳細項目から選択される。「気管：詳細項目選択」と表示されている中の「気管」は、部位・手技選択で選択された区分であることを示している。
【０１２０】
処置別使用量一覧には、欄４８１に「使用材料」と表示され、この例では、「気管カテーテル」、「生理食塩水」、および「注射器」が、それぞれ欄４８２〜欄４８４に表示されている。使用材料毎の使用量は、日毎に表示され、この例では、１日から１０日までの使用量が表示されている。たとえば「気管カテーテル」の日付「２」の日の使用量は、「４」である。最下段の「処置回数」は、日毎に実施された処置の回数であり、この例では「気管内洗浄」についての回数である。たとえば日付「２」の日の回数は「４」である。
【０１２１】
処置で使用する材料が１画面で表示できないときは、操作ボタン４９３の「△」ボタンまたは操作ボタン４９４の「▽」ボタンを操作して、表示されていない材料の使用量を表示することができる。１１日から２０日まで、または２１から月末までの使用量は、「前画面」ボタン４９８、あるいは「次画面」ボタン４９９を操作することによって表示することができる。
【０１２２】
合計欄５００と平均欄５０２は、それぞれ開始年月から終了年月で決まる指定期間内４８５についての、それぞれの使用材料毎の合計と平均である。この例では、年月のみを指定して、月単位で算出しているが、年月日を入力可能として日単位で算出してもよい。標準値５０１は、処置実施入力画面３８０で表示される標準使用量である。たとえば「気管カテーテル」の合計、標準値、平均は、それぞれ「２５」、「１」、「１」である。
【０１２３】
表示されている処置別使用量一覧を印刷したいときは、「印刷」ボタン４９７、メニュー画面２１０に戻りたいときは、「メニュー」ボタン４９５を操作する。
【０１２４】
図２３は、本発明の実施の一形態である病院内物流システム１で用いられる入院処置伝票のプリント出力の一例を示す図である。入院処置伝票は、たとえば患者毎に１ヶ月間に実施した処置の名称と日毎の実施回数、および処置で使用した特定保険医療材料の日毎の使用量が出力された帳票であり、患者別処置実績画面４６０で印刷を選択したときに出力される。この例では、タイトルとして「ＹＹＹＹ年ＭＭ月  ＸＸＸＸＸさん  入院処置伝票」と記載され、欄６００に縦欄の項目である「処置・特定保険医療材料」、欄６０１に「救命のための気管内挿管」、欄６０２に「気管内チューブ（カフあり・カフェ上部吸引機能あり）」、欄６０３に「超音波ネブライザー」、欄６０４に「気管内洗浄」と記載され、日付「１」〜「３１」の日毎に、それぞれの処置の実施回数が記載されている。たとえば「超音波ネブライザー」の日付「１」では、「１」回である。処置で特定保険医療材料を使用した場合には、その名称と使用量が処置の下に記載される。たとえば「救命のための気管内挿管」の日付「７」では、「救命のための気管内挿管」が１回実施され、特定保険医療材料として欄６０２の「気管内チューブ（カフあり・カフェ上部吸引機能あり）」が１回使用されたことが記載されている。
【０１２５】
図２４は、本発明の実施の一形態である病院内物流システム１で用いられる処置別使用医療材料実績のプリント出力の一例を示す図である。処置別使用医療材料実績は、たとえば指定された処置、期間、部署での処置の実施回数と使用材料毎の使用量とを、日毎に集計して出力した帳票である。タイトルとして「処置別使用医療材料実績」、サブタイトルとして「処置名称：気管内洗浄  ＹＹＹＹ年ＭＭ月〜ＹＹＹＹ年ＭＭ月  部署：１階東」と記載され、欄６１０には、「使用材料／日付」と記載され、「使用材料」は縦欄、「日付」は横欄の項目を示している。欄６１１に「気管カテーテル（本）」、欄６１２に「生理食塩水（２００ｍｌ／パック）」、欄６１３に「注射器（本）」、欄６１４に「処置回数（回）」と記載されている。たとえば「気管カテーテル（本）」の日付「１」の日には、「３」と記載され、これは、日付「１」の日に使用された気管カテーテルが３本であることを示している。
【０１２６】
欄外には、「材料名称」、「指定期間内合計」、「平均使用個数」、および「処置実施回数」という項目が記載されている。「材料名称」には、「気管カテーテル」、「生理食塩水（２００ｍｌ／パック）」、「注射器」が記載され、対応する「指定期間内合計」がそれぞれ「３１本」、「６０パック」、「２７本」、対応する「平均使用個数」が、それぞれ「１．１本」、「２．２パック」、「１本」と記載され、「処置実施回数」には、「２７回」と記載されている。
【０１２７】
図２５は、本発明の実施の他の形態である医療機関物流管理方法の工程を示すフローチャートである。この医療機関物流管理方法は、実施された処置および処置に使用された医療材料に関する情報を患者毎および処置毎に記録として残すことを支援するための方法である。この医療機関物流管理方法は、上述した病院内物流システム１のコンピュータで実行されるプログラムによって実現され、上述したデータベースおよぶ画面が用いられる。メニュー画面等の画面で、処置実施入力、帳票出力、マスタ管理などのうちいずれかの機能が選択されたときに処理が開始される。
【０１２８】
ステップＳ１では、メニュー画面等の画面で選択された機能が、マスタ管理か否か判定する。メニュー画面で選択された機能がマスタ管理のときは、ステップＳ２に進み、マスタ管理でないときは、ステップＳ３に進む。ステップＳ２では、管理対象とする職員、医療材料、処置などの情報を職員マスタ１０３などのマスタテーブルに登録し終了する。ステップＳ３では、選択された機能が、処置実施入力か否か判定する。選択された機能が、処置実施入力のときは、ステップＳ４に進み、処置実施入力でないときは、ステップＳ７に進む。
【０１２９】
ステップＳ４では、マスタテーブルに登録されている情報、部位・手技区分によって分類されている処置、処置毎の詳細項目などの情報を表示する。ステップＳ５では、実施した処置、その処置に使用した医療材料、およびその医療材料の数量などの情報を、表示された情報から選択あるいは表示された情報を修正して入力する。ステップＳ６では、入力された情報が、処置行為実績管理テーブル１１４および処置行為別使用実績管理テーブル１１５に記憶される。ステップＳ７では、選択された機能が帳票出力の場合は、処置行為実績管理テーブル１１４および処置行為別使用実績管理テーブル１１５に記憶された使用実績を、表示画面に表示またはプリンタに出力して終了する。選択された機能が処置実施入力、帳票出力、マスタ管理以外の場合は、フローチャートに図示していないが、選択されたメニューに対応する処理が行われた後終了する。
【０１３０】
図２６は、本発明の実施のさらに他の形態である医療機関物流管理方法の工程を示すフローチャートである。この医療機関物流管理方法は、実施された処置および処置に使用された医療材料に関する情報を記録として残すことを支援するための方法である。この医療機関物流管理方法は、上述した病院内物流システム１のコンピュータで実行されるプログラムによって実現され、上述したデータベースおよぶ画面が用いられる。メニュー画面等の画面で、処置実施入力、実施予定処置入力、帳票出力、マスタ管理などのうちいずれかの機能が選択されたときに処理が開始される。
【０１３１】
ステップＳ１０では、メニュー画面等の画面で選択された機能が、マスタ管理か否か判定する。メニュー画面で選択された機能がマスタ管理のときは、ステップＳ１１に進み、マスタ管理でないときは、ステップＳ１２に進む。ステップＳ１１では、管理対象とする職員、医療材料、処置などの情報を職員マスタ１０３などのマスタテーブルに登録し終了する。ステップＳ１２では、選択された機能が、実施予定処置入力か否か判定する。選択された機能が、実施予定処置入力のときは、ステップＳ１３に進み、実施予定処置入力でないときは、ステップＳ１６に進む。
【０１３２】
ステップＳ１３では、マスタテーブルに登録されている情報、部位・手技区分によって分類されている処置、処置毎の詳細項目などの情報を表示する。ステップＳ１４では、実施予定の処置、その処置に使用する医療材料、およびその医療材料の数量を、表示された情報から選択あるいは表示された情報を修正して入力する。ステップＳ１５では、入力された情報が、実施予定処置テーブル１２１に設定された後終了する。ステップＳ１６では、選択された機能が、処置実施入力か否か判定する。選択された機能が、処置実施入力のときは、ステップＳ１７に進み、処置実施入力でないときは、ステップＳ２０に進む。
【０１３３】
ステップＳ１７では、実施予定処置テーブル１２１に設定された情報を表示する。ステップＳ１８では、表示された情報に修正があれば修正情報を入力する。ステップＳ１９では、修正情報に基づいて実施予定処置テーブル１２１の情報を修正した後、修正した実施予定処置テーブル１２１の情報を、処置行為実績管理テーブル１１４および処置行為別使用実績管理テーブル１１５に記憶する。ステップＳ２０では、選択された機能が帳票出力の場合は、使用実績を指定された期間について患者毎および／または処置毎に集計し、集計した実績を画面に表示またはプリンタに出力して終了する。選択された機能が処置実施入力、実施予定処置入力、帳票出力、マスタ管理以外の場合は、フローチャートに図示していないが、選択されたメニューに対応する処理が行われた後終了する。
【０１３４】
上述したいずれの医療機関物流管理方法も、それぞれの医療機関物流管理方法をコンピュータに実行させるプログラムとして実現される。コンピュータは、種々の制御を行う図示していないＣＰＵ（Central Processing Unit）と、ＣＰＵで処理が行われるために用いられる図示していないメモリ、たとえば、ＲＯＭ（Read Only Memory）またはＲＡＭ（Random Access Memory）を含んで構成され、医療機関物流管理方法をコンピュータに実行させるプログラムは、このメモリに格納される。
【０１３５】
医療機関物流管理方法をコンピュータに実行させるプログラムは、コンピュータで読取り可能な記録媒体に格納されておればよく、上述した実施の形態では、記録媒体として、メモリを用いたが、外部記憶装置としてプログラム読取装置が設けられ、そこに記録媒体を挿入することによって読取り可能となるような記録媒体であってもよい。記録媒体に格納されているプログラムは、ＣＰＵがアクセスして実行可能な構成であればよい。あるいは、プログラムを読出し、読出したプログラムを図示されていないプログラム記録エリアにダウンロードして、プログラムを実行する構成であればよい。このダウンロード用のプログラムは、予めＲＯＭに格納しておく。
【０１３６】
記録媒体がコンピュータと分離可能に構成される場合、記録媒体は、磁気テープ／カセットテープなどのテープ系、フレキシブルディスク／ハードディスクなどの磁気ディスクまたはＣＤ−ＲＯＭ（Compact Disk-Read Only Memory）／ＭＯ（Magneto Optical Disk）／ＭＤ（Mini Disk）／ＤＶＤ（Digital Versatile Disk）などの光ディスクのディスク系、ＩＣ（Integrated Circuit）カード（メモリカードを含む）／光カードなどのカード系、あるいはマスクＲＯＭ／ＥＰＲＯＭ（Erasable Programmable Read Only Memory）／フラッシュＲＯＭなどによる半導体メモリを含め、固定的にプログラムを保持する記録媒体であればよい。
【図面の簡単な説明】
【０１３７】
【図１】本発明の実施の一形態である病院内物流システム１の構成を示す図である。
【図２】本発明の実施の一形態である病院内物流システム１の機能の構成を示す図である。
【図３】本発明の実施の一形態である病院内情報システム１の表示画面に表示される基本的な画面の構成の一例を示す図である。
【図４】本発明の実施の一形態である病院内物流システム１で用いられるログイン画面２００の一例を示す図である。
【図５】本発明の実施の一形態である病院内物流システム１で用いられるメニュー画面２１０の一例を示す図である。
【図６】本発明の実施の一形態である病院内物流システム１で用いられる患者登録画面２２０の一例を示す図である。
【図７】本発明の実施の一形態である病院内物流システム１で用いられる処置登録画面２４０の一例を示す図である。
【図８】本発明の実施の一形態である病院内物流システム１で用いられるマスタ管理画面２６０の一例を示す図である。
【図９】本発明の実施の一形態である病院内物流システム１で用いられる物品管理画面２７０の一例を示す図である。
【図１０】本発明の実施の一形態である病院内物流システム１で用いられる物品マスタ画面２８０の一例を示す図である。
【図１１】本発明の実施の一形態である病院内物流システム１で用いられる職員マスタ画面３１０の一例を示す図である。
【図１２】本発明の実施の一形態である病院内物流システム１で用いられる入院患者選択画面３３０の一例を示す図である。
【図１３】本発明の実施の一形態である病院内物流システム１で用いられる外来患者選択画面３６０の一例を示す図である。
【図１４】本発明の実施の一形態である病院内物流システム１で用いられる処置メニュー画面３７０の一例を示す図である。
【図１５】本発明の実施の一形態である病院内物流システム１で用いられる処置実施入力画面３８０の一例を示す図である。
【図１６】本発明の実施の一形態である病院内物流システム１で用いられる使用材料追加画面４００の一例を示す図である。
【図１７】本発明の実施の一形態である病院内物流システム１で用いられる前日実施処置一覧４１０の一例を示す図である。
【図１８】本発明の実施の一形態である病院内物流システム１で用いられる実施予定処置入力４１５の一例を示す図である。
【図１９】本発明の実施の一形態である病院内物流システム１で用いられる消費量一括入力画面４３０の一例を示す図である。
【図２０】本発明の実施の一形態である病院内物流システム１で用いられる帳票出力メニュー画面４５０の一例を示す図である。
【０１３８】
【図２１】本発明の実施の一形態である病院内物流システム１で用いられる患者別処置実績画面４６０の一例を示す図である。
【図２２】本発明の実施の一形態である病院内物流システム１で用いられる処置別実績画面４８０の一例を示す図である。
【図２３】本発明の実施の一形態である病院内物流システム１で用いられる入院処置伝票のプリント出力の一例を示す図である。
【図２４】本発明の実施の一形態である病院内物流システム１で用いられる処置別使用医療材料実績のプリント出力の一例を示す図である。
【図２５】本発明の実施の他の形態である医療機関物流管理方法の工程を示すフローチャートである。
【図２６】本発明の実施のさらに他の形態である医療機関物流管理方法の工程を示すフローチャートである。
【符号の説明】
【０１３９】
１  病院内物流システム
１０  物品管理計算機
１１，２１  プリンタ
１２，２２  バーコードリーダ
２０  入力用端末計算機
３０  ネットワーク
４０  医療・衛生材料用棚
４１  引き出し
４２  ラベル
５０  制御機能
５１  マスタデータ設定機能
５２  実施入力機能
５３  物品管理機能
５４  帳票出力機能
５５  職員登録機能
５６  物品登録機能
５７  処置登録機能
５８  実施予定入力機能
５９  消費量一括入力機能
【図１】
2006048301.tif 000005
【図２】
2006048301.tif 000006
【図３】
2006048301.tif 000007
【図４】
2006048301.tif 000008
【図５】
2006048301.tif 000009
【図６】
2006048301.tif 000010
【図７】
2006048301.tif 000011
【図８】
2006048301.tif 000012
【図９】
2006048301.tif 000013
【図１０】
2006048301.tif 000014
【図１１】
2006048301.tif 000015
【図１２】
2006048301.tif 000016
【図１３】
2006048301.tif 000017
【図１４】
2006048301.tif 000018
【図１５】
2006048301.tif 000019
【図１６】
2006048301.tif 000020
【図１７】
2006048301.tif 000021
【図１８】
2006048301.tif 000022
【図１９】
2006048301.tif 000023
【図２０】
2006048301.tif 000024
【図２１】
2006048301.tif 000025
【図２２】
2006048301.tif 000026
【図２３】
2006048301.tif 000027
【図２４】
2006048301.tif 000028
【図２５】
2006048301.tif 000029
【図２６】
2006048301.tif 000030